(57)【要約】【課題】シームレスランプのような繋ぎ目の暗部が少ない直管蛍光ランプ用ソケットを提供することを目的とする。【解決手段】この発明に係る直管蛍光ランプ用ソケット４は、直管蛍光ランプ１０が装着される直管蛍光ランプ用ソケット４において、直管蛍光ランプ用ソケット４の外側の面に、発光ダイオード５を設け直管蛍光ランプ用ソケット４は、少なくとも意匠面となる曲面部４ｂが光を透過する材料からなり、発光ダイオード５を直管蛍光ランプ用ソケット４の非意匠面である底部４ａに設け、直管蛍光ランプ用ソケット４の意匠面となる曲面部４ｂまで発光ダイオード５の光を透過させて曲面部４ｂを光らせることを特徴とする。【選択図】図６
2008300104.tif 000002
【特許請求の範囲】
【請求項１】
直管蛍光ランプが装着される直管蛍光ランプ用ソケットにおいて、
当該直管蛍光ランプ用ソケットの外側の面に、発光ダイオードを設けたことを特徴とする直管蛍光ランプ用ソケット。
【請求項２】
前記発光ダイオードを当該直管蛍光ランプ用ソケットの意匠面となる曲面部に設けたことを特徴とする請求項１記載の直管蛍光ランプ用ソケット。
【請求項３】
当該直管蛍光ランプ用ソケットは、少なくとも意匠面となる曲面部が光を透過する材料からなり、前記発光ダイオードを当該直管蛍光ランプ用ソケットの非意匠面である底部に設け、当該直管蛍光ランプ用ソケットの意匠面となる前記曲面部まで前記発光ダイオードの光を透過させて前記曲面部を光らせることを特徴とする請求項１記載の直管蛍光ランプ用ソケット。
【請求項４】
当該直管蛍光ランプ用ソケットの意匠面となる曲面部の周囲に、少なくとも前記曲面部を覆い、光を透過する光透過性部材を設け、この光透過性部材の前記直管蛍光ランプの軸と平行な端部に前記発光ダイオードを設けたことを特徴とする請求項１記載の直管蛍光ランプ用ソケット。
【請求項５】
前記光透過性部材を、前記直管蛍光ランプの黒化領域を覆うように設けることを特徴とする請求項４記載の直管蛍光ランプ用ソケット。
【請求項６】
当該直管蛍光ランプ用ソケットの意匠面となる曲面部の周囲に前記発光ダイオードを設け、さらに光透過性カバーを前記発光ダイオードの周囲に、少なくとも前記曲面部を覆うように設けることを特徴とする請求項１又は２記載の直管蛍光ランプ用ソケット。
【請求項７】
前記光透過性カバーを、前記直管蛍光ランプの黒化領域を覆うように設けることを特徴とする請求項６記載の直管蛍光ランプ用ソケット。
【発明の詳細な説明】
【技術分野】
【０００１】
この発明は、直管蛍光ランプ用ソケットに関するものである。
【背景技術】
【０００２】
従来の直管蛍光ランプ１００は、図１３に示すように、直管蛍光ランプ１００の軸線方向両端部の口金１０２が軸線方向の端面側に設けられている。そのため、直管蛍光ランプ１００を軸線方向に並べて配設した場合、各直管蛍光ランプ１００同士の間にソケット１０４が位置する（例えば、特許文献１参照）。
【特許文献１】実開平６−８４６７１号公報
【発明の開示】
【発明が解決しようとする課題】
【０００３】
従来の直管蛍光ランプ１００は、ソケット１０４部分が非発光領域となり、照明の連続性が損なわれるという課題があった。
【０００４】
この発明は、上記のような課題を解決するためになされたもので、シームレスランプのような繋ぎ目の暗部が少ない直管蛍光ランプ用ソケットを提供することを目的とする。
【課題を解決するための手段】
【０００５】
この発明に係る直管蛍光ランプ用ソケットは、直管蛍光ランプが装着される直管蛍光ランプ用ソケットにおいて、直管蛍光ランプ用ソケットの外側の面に、発光ダイオードを設けたことを特徴とする。
【０００６】
この発明に係る直管蛍光ランプ用ソケットは、発光ダイオードを直管蛍光ランプ用ソケットの意匠面となる曲面部に設けたことを特徴とする。
【０００７】
この発明に係る直管蛍光ランプ用ソケットは、直管蛍光ランプ用ソケットは、少なくとも意匠面となる曲面部が光を透過する材料からなり、発光ダイオードを直管蛍光ランプ用ソケットの非意匠面である底部に設け、直管蛍光ランプ用ソケットの意匠面となる曲面部まで発光ダイオードの光を透過させて曲面部を光らせることを特徴とする。
【０００８】
この発明に係る直管蛍光ランプ用ソケットは、直管蛍光ランプ用ソケットの意匠面となる曲面部の周囲に、少なくとも曲面部を覆い、光を透過する光透過性部材を設け、この光透過性部材の直管蛍光ランプの軸と平行な端部に発光ダイオードを設けたことを特徴とする。
【０００９】
この発明に係る直管蛍光ランプ用ソケットは、光透過性部材を、直管蛍光ランプの黒化領域を覆うように設けることを特徴とする。
【００１０】
この発明に係る直管蛍光ランプ用ソケットは、直管蛍光ランプ用ソケットの意匠面となる曲面部の周囲に発光ダイオードを設け、さらに光透過性カバーを発光ダイオードの周囲に、少なくとも曲面部を覆うように設けることを特徴とする。
【００１１】
この発明に係る直管蛍光ランプ用ソケットは、光透過性カバーを、直管蛍光ランプの黒化領域を覆うように設けることを特徴とする。
【発明の効果】
【００１２】
この発明に係る直管蛍光ランプ用ソケットは、ソケットに光源を持たせることにより、シームレスランプのような繋ぎ目の暗部が少ない直管蛍光ランプ用ソケットを提供することができる。
【発明を実施するための最良の形態】
【００１３】
実施の形態１．
図１乃至図３は実施の形態１を示す図で、図１は直管蛍光ランプ用ソケット４の正面図、図２は直管蛍光ランプ用ソケット４に直管蛍光ランプ１０を装着した側面図、図３は直管蛍光ランプ用ソケット４に直管蛍光ランプ１０を装着した実用例を示す斜視図である。
【００１４】
図１に示すように、直管蛍光ランプ用ソケット４の外周の意匠面となる曲面部４ｂにＬＥＤ５（発光ダイオード）を取り付ける。図１の例では、ＬＥＤ５を３個使用している。但し、ＬＥＤ５の数は、何個でもよい。
【００１５】
図２に示すように、直管蛍光ランプ１０を直管蛍光ランプ用ソケット４に装着すると、口金１０ａ（口金ピン１０ｂを有する）は直管蛍光ランプ用ソケット４内に収納される。
【００１６】
図３に示すように、実使用時は直管蛍光ランプ用ソケット４のＬＥＤ５が装着された曲面部４ｂが下側になるので、直管蛍光ランプ用ソケット４が光る。ＬＥＤ５の色は、直管蛍光ランプ１０の色に合わせるのが好ましいが、必須ではない。
【００１７】
このように構成することにより、器具を用いて直管蛍光ランプ１０を直列に並べた場合、直管蛍光ランプ１０同士の間の繋ぎ目の暗部が少ないシームレス・ランプに近い使い方が可能となる。
【００１８】
また、直管蛍光ランプ用ソケット４に光源を持たせることにより、電極（フィラメント）部分の明るさの改善、長時間点灯によるランプ端部黒化部分の明るさ低下を改善できる。
【００１９】
ＬＥＤ５は直管蛍光ランプ用ソケット４の外周の曲面部４ｂに設置するので、直管蛍光ランプ用ソケット４が大きくなることもない。
【００２０】
実施の形態２．
図４乃至図６は実施の形態２を示す図で、図４は直管蛍光ランプ用ソケット４の正面図、図５は直管蛍光ランプ用ソケット４に直管蛍光ランプ１０を装着した側面図、図６は直管蛍光ランプ用ソケット４に直管蛍光ランプ１０を装着した実用例を示す斜視図である。
【００２１】
図４に示すように、ＬＥＤ５を直管蛍光ランプ用ソケット４の非意匠面である底部４ａの両端（正面から見て）に設ける。また、底部４ａの両端でなくても、片側でもよい。
【００２２】
図５に示すように、直管蛍光ランプ１０を直管蛍光ランプ用ソケット４に装着すると、口金１０ａ（口金ピン１０ｂを有する）は直管蛍光ランプ用ソケット４内に収納される。
【００２３】
図６に示すように、実使用時は直管蛍光ランプ用ソケット４の底部４ａが上になり、ＬＥＤ５が取り付けられていない曲面部４ｂが下になる。ＬＥＤ５の光は、直管蛍光ランプ用ソケット４内部を透過して上（底部４ａ）から下（曲面部４ｂ）に抜ける。直管蛍光ランプ用ソケット４は、例えばアクリル樹脂等の光を透過する材料とする。
【００２４】
ＬＥＤ５の光は、直管蛍光ランプ用ソケット４内部を透過して上（底部４ａ）から下（曲面部４ｂ）に抜けるので、曲面部４ｂが光る。
【００２５】
また、少なくとも直管蛍光ランプ用ソケット４の曲面部４ｂが、アクリル樹脂等の光を透過する材料であればよい。その他の部分は空間でもよいし、全体がアクリル樹脂等の光を透過する材料であってもよい。
【００２６】
このように構成することにより、実施の形態１と同様、器具を用いて直管蛍光ランプ１０を直列に並べた場合、直管蛍光ランプ１０同士の間の繋ぎ目の暗部が少ないシームレス・ランプに近い使い方が可能となる。
【００２７】
また、直管蛍光ランプ用ソケット４に光源を持たせることにより、電極（フィラメント）部分の明るさの改善、長時間点灯によるランプ端部黒化部分の明るさ低下を改善できる。
【００２８】
ＬＥＤ５は直管蛍光ランプ用ソケット４の底部４ａに設置するので、直管蛍光ランプ用ソケット４が大きくなることもない。
【００２９】
実施の形態３．
図７乃至図９は実施の形態３を示す図で、図７は直管蛍光ランプ用ソケット４の正面図、図８は直管蛍光ランプ用ソケット４に直管蛍光ランプ１０を装着した側面図、図９は直管蛍光ランプ用ソケット４に直管蛍光ランプ１０を装着した実用例を示す斜視図である。
【００３０】
図７に示すように、直管蛍光ランプ用ソケット４の曲面部４ｂに難燃性の光透過性板６（光透過性部材の一例）を取り付ける。光透過性板６の材料は、例えばアクリル樹脂である。光透過性板６の断面形状は、略半円である。そして、ＬＥＤ５を光透過性板６の両端（正面から見て）に取り付ける。電極付近は高温となるため、光透過性板６には、難燃性のアクリル樹脂が適する。
【００３１】
図８に示すように、光透過性板６は、直管蛍光ランプ１０の黒化領域（電極付近）を覆うように、直管蛍光ランプ１０の軸方向に延びている。そして、ＬＥＤ５を光透過性板６の直管蛍光ランプ１０の軸方向に平行な両端部に、図８の例では、各３個（計６個）設ける（図９も参照）。
【００３２】
図９に示すように、実使用時はＬＥＤ５が上に、光透過性板６が下になり、ＬＥＤ５の光が光透過性板６を上から下に透過して光透過性板６が光る。
【００３３】
このように構成することにより、実施の形態１、２と同様、器具を用いて直管蛍光ランプ１０を直列に並べた場合、直管蛍光ランプ１０同士の間の繋ぎ目の暗部が少ないシームレス・ランプに近い使い方が可能となる。
【００３４】
また、直管蛍光ランプ用ソケット４に光源を持たせることにより、電極（フィラメント）部分の明るさの改善、長時間点灯によるランプ端部黒化部分の明るさ低下を改善できる。特に、本実施の形態では、ランプ端部黒化部分を光透過性板６が覆い、且つ光透過性板６が光るので、ランプ端部黒化部分の明るさ低下の改善効果が大きい。
【００３５】
尚、光透過性板６は、直管蛍光ランプ１０の黒化領域（電極付近）を覆うように、直管蛍光ランプ１０の軸方向に延びているが、直管蛍光ランプ用ソケット４のみを覆うようにしてもよい。
【００３６】
実施の形態４．
図１０乃至図１２は実施の形態４を示す図で、図１０は直管蛍光ランプ用ソケット４の正面図、図１１は直管蛍光ランプ用ソケット４に直管蛍光ランプ１０を装着した側面図、図１２は直管蛍光ランプ用ソケット４に直管蛍光ランプ１０を装着した実用例を示す斜視図である。
【００３７】
図１０に示すように、ＬＥＤ５を直管蛍光ランプ用ソケット４の曲面部４ｂに取り付ける。図１０の例は、ＬＥＤ５を３個使用している。ＬＥＤ５の数は、何個でもよい。そして、ＬＥＤ５を覆うように、難燃性の光透過性カバー７を取り付ける。光透過性カバー７の材料は、例えばアクリル樹脂である。電極付近は高温となるため、光透過性板６には、難燃性のアクリル樹脂が適する。
【００３８】
図１１に示すように、光透過性カバー７は、直管蛍光ランプ１０の黒化領域（電極付近）を覆うように、直管蛍光ランプ１０の軸方向に延びている。
【００３９】
図１２に示すように、本実施の形態では、ＬＥＤ５の光は直管蛍光ランプ１０の軸方向に放射される。そして、光透過性カバー７を光らせる。
【００４０】
このように構成することにより、実施の形態１乃至３と同様、器具を用いて直管蛍光ランプ１０を直列に並べた場合、直管蛍光ランプ１０同士の間の繋ぎ目の暗部が少ないシームレス・ランプに近い使い方が可能となる。
【００４１】
また、直管蛍光ランプ用ソケット４に光源を持たせることにより、電極（フィラメント）部分の明るさの改善、長時間点灯によるランプ端部黒化部分の明るさ低下を改善できる。特に、本実施の形態では、ランプ端部黒化部分を光透過性カバー７が覆い、且つ光透過性カバー７が光るので、ランプ端部黒化部分の明るさ低下の改善効果が大きい。また、実施の形態３に比べると、ＬＥＤ５の数を減らすことができる。
【００４２】
尚、光透過性カバー７は、直管蛍光ランプ１０の黒化領域（電極付近）を覆うように、直管蛍光ランプ１０の軸方向に延びているが、直管蛍光ランプ用ソケット４のみを覆うようにしてもよい。
【００４３】
ＬＥＤ５を点灯させるための直流電源については、公知のものであるから特に触れなったが、ＬＥＤ５用直流電源は照明器具内に設けられる。
【図面の簡単な説明】
【００４４】
【図１】実施の形態１を示す図で、直管蛍光ランプ用ソケット４の正面図。
【図２】実施の形態１を示す図で、直管蛍光ランプ用ソケット４に直管蛍光ランプ１０を装着した側面図。
【図３】実施の形態１を示す図で、直管蛍光ランプ用ソケット４に直管蛍光ランプ１０を装着した実用例を示す斜視図。
【図４】実施の形態２を示す図で、直管蛍光ランプ用ソケット４の正面図。
【図５】実施の形態２を示す図で、直管蛍光ランプ用ソケット４に直管蛍光ランプ１０を装着した側面図。
【図６】実施の形態２を示す図で、直管蛍光ランプ用ソケット４に直管蛍光ランプ１０を装着した実用例を示す斜視図。
【図７】実施の形態３を示す図で、直管蛍光ランプ用ソケット４の正面図。
【図８】実施の形態３を示す図で、直管蛍光ランプ用ソケット４に直管蛍光ランプ１０を装着した側面図。
【図９】実施の形態３を示す図で、直管蛍光ランプ用ソケット４に直管蛍光ランプ１０を装着した実用例を示す斜視図。
【図１０】実施の形態４を示す図で、直管蛍光ランプ用ソケット４の正面図。
【図１１】実施の形態４を示す図で、直管蛍光ランプ用ソケット４に直管蛍光ランプ１０を装着した側面図。
【図１２】実施の形態４を示す図で、直管蛍光ランプ用ソケット４に直管蛍光ランプ１０を装着した実用例を示す斜視図。
【図１３】従来の直管蛍光ランプ１００を直列に配置した正面図。
【符号の説明】
【００４５】
４  直管蛍光ランプ用ソケット、４ａ  底部、４ｂ  曲面部、５  ＬＥＤ、６  光透過性板、７  光透過性カバー、１０  直管蛍光ランプ、１０ａ  口金、１０ｂ  口金ピン、１００  直管蛍光ランプ、１０２  口金、１０４  ソケット。
【図１】
2008300104.tif 000003
【図２】
2008300104.tif 000004
【図３】
2008300104.tif 000005
【図４】
2008300104.tif 000006
【図５】
2008300104.tif 000007
【図６】
2008300104.tif 000008
【図７】
2008300104.tif 000009
【図８】
2008300104.tif 000010
【図９】
2008300104.tif 000011
【図１０】
2008300104.tif 000012
【図１１】
2008300104.tif 000013
【図１２】
2008300104.tif 000014
【図１３】
2008300104.tif 000015